(57)【要約】不透湿性材料から所定長さに形成されかつ湿気の侵入を防止するために密封することのできる細長いスリーブと、この細長いスリーブ（１３）と実質的に同じ所定長さであって、このスリーブ（１３）の内部で実質的に湿気のない状態で同じ広さに広がる連続層の中に置かれており、使用するまで湿気に対して密封された細長い医療材とが含まれている、特定の医療用途に適した長さに小出しされる細長い医療包帯用製品（１０）。
2004500907.tif 000002
【特許請求の範囲】
【請求項１】
（ａ）　不透湿性材料から形成されかつ湿気の侵入を防止するために密封可能である所定長さの細長いスリーブ、および
（ｂ）　前記の細長いスリーブと実質的に同じ所定長さを有するとともに、そのスリーブの内部で実質的に湿気を含まない状態で同じ広さに広がる連続層の状態に配され、かつ、使用されるまでその中で湿気に対して密封されている細長い医療材であって、
（ｉ）　前記の細長いスリーブの長手方向に沿って延出している折り曲げ側縁を画定する一対の対向状主面を有し、かつ、切られた繊維端が実質的にないことを特徴とする管状基材、
（ｉｉ）　前記基材の中に含浸されあるいは上に被覆され、実質的に湿気のない状態に保たれたときには安定状態のままであり、かつ、充分な湿気にさらされたときには硬化して堅い自立構造体になる反応系、および、
（ｉｉｉ）　前記基材をその長手方向に沿って包んでおり、使用時にその基材と患者の皮膚との間に緩衝用隔壁をもたらす柔軟な保護用包装材
からなる医療材を備えてなり、
それによって、医療材とスリーブとを所望箇所で切り離すことで、医療材をスリーブから余分に取り出すことなく所望長さの前記医療材を一定長さの包帯用製品から取り出すことが可能であり、それによって、スリーブと医療材とが細長い包帯用製品の連続体を形成するとともに、前記スリーブは、所望長さの前記医療材が使用のために小出しされた後に前記スリーブの中に残っている前記基材の硬化を防止するために、湿気の侵入に対して密封可能である、
特定の医療用途に適した長さに小出しされる細長い医療包帯用製品。
【請求項２】
前記管状基材が、編地からなる請求項１記載の医療包帯用製品。
【請求項３】
前記管状基材が、丸編機で編み上げられた継ぎ目なし編地からなる請求項１記載の医療包帯用製品。
【請求項４】
前記管状基材が、横編機で編み上げられた編地であってその編地の２つの側縁を互いにつないで管に形作る縫い目を有している編地からなる請求項１記載の医療包帯用製品。
【請求項５】
前記スリーブが、外側の引裂抵抗層、中心のアルミニウム箔層および内側のヒートシール可能プラスチック層を有しているアルミニウム箔積層品からなる請求項１、２、３または４記載の医療包帯用製品。
【請求項６】
前記管状基材が、ガラス繊維および熱可塑性合成繊維からなる群から選ばれた繊維で形成されている請求項５記載の医療包帯用製品。
【請求項７】
前記保護用包装材が、繊維状の不織性緩衝材からなる基材を包んでいる請求項５記載の医療包帯用製品。
【請求項８】
前記保護用包装材が、不織性ポリプロピレン管からなる基材を包んでいる請求項５記載の医療包帯用製品。
【請求項９】
前記反応系が、ポリイソシアネート、ポリオール、触媒および安定剤の混合物からなる請求項５記載の医療包帯用製品。
【請求項１０】
前記スリーブが、コイル体に形作られている請求項５記載の医療包帯用製品。
【請求項１１】
内部に医療包帯用製品のコイル体が収容された小出し用カートンを含んでいる請求項１０記載の医療包帯用製品。
【請求項１２】
（ａ）　使用されるまで実質的に湿気を含まない状態に保たれるように適合された細長い医療材
を備えてなる細長い医療包帯であって、前記医療包帯が、
（ｉ）　その基材の長手方向に沿って延出している折り曲げ側縁を画定する一対の対向状主面を画定しており、かつ、切られた繊維端が実質的にないことを特徴とする管状基材、
（ｉｉ）　前記基材の中に含浸されあるいは上に被覆され、実質的に湿気のない状態に保たれたときには安定状態のままであり、かつ、充分な湿気にさらされたときには硬化して堅い自立構造体になる反応系、および、
（ｉｉｉ）　前記基材をその長手方向に沿って包んでおり、その包帯の使用時に基材と患者の皮膚との間に緩衝用隔壁をもたらす柔軟な保護用包装材からなる医療包帯。
【請求項１３】
前記管状基材が、編地からなる請求項１２記載の医療包帯。
【請求項１４】
前記管状基材が、丸編機で編み上げられた継ぎ目なし編地からなる請求項１２記載の医療包帯。
【請求項１５】
前記管状基材が、横編機で編み上げられた編地であってその編地の２つの側縁を互いにつないで管に形作る縫い目を有している編地からなる請求項１２記載の医療包帯。
【請求項１６】
医療包帯が、外側の引裂抵抗層、中心のアルミニウム箔層および内側のヒートシール可能プラスチック層を有しているアルミニウム箔積層品からなるスリーブの中に、使用するまで包装されている請求項１２、１３１４または１５記載の医療包帯。
【請求項１７】
前記管状基材が、ガラス繊維および熱可塑性合成繊維からなる群から選ばれた繊維で形成されている請求項１６記載の医療包帯。
【請求項１８】
前記保護用包装材が、繊維状の不織性緩衝材からなる基材を包んでいる請求項１６記載の医療包帯。
【請求項１９】
前記保護用包装材が、不織性ポリプロピレン管からなる基材を包んでいる請求項１６記載の医療包帯。
【請求項２０】
前記反応系が、ポリイソシアネート、ポリオール、触媒および安定剤の混合物からなる請求項１６記載の医療包帯。
【請求項２１】
前記医療包帯が、コイル体に形作られている請求項１２記載の医療包帯。
【請求項２２】
内部に医療包帯用製品のコイル体が収容された小出し用カートンを含んでいる請求項２１記載の医療包帯。
【請求項２３】
前記基材を包んでいる前記の柔軟な保護用包装材は、その包帯が使われるときにその基材と患者の皮膚との間に緩衝用隔壁をもたらし、その厚みを介して水分および空気が自由に透過し、かつ、湿分硬化性樹脂がその厚みを介して迅速かつ容易に水分にさらされる請求項１２記載の医療包帯。
【請求項２４】
前記の柔軟な保護用包装材は、その基材の封入された主面のいずれか一方を患者の皮膚に近接して設置することができるように、その基材を取り囲んでいる請求項１２記載の医療包帯。
【請求項２５】
（ａ）　不透湿性材料から形成されかつ湿気の侵入を防止するために密封可能である外側容器であって、一方端部に防湿用密封可能な開口を有している細長い製品小出し用スリーブと、この小出し用スリーブに連通する製品保管用拡大パッケージとからなる外側容器、
（ｂ）　この容器の中で実質的に湿気を含まない状態に配され、かつ、使用されるまでその中で湿気に対して密封されている細長い医療材であって、
（ｉ）　その細長いスリーブの長手方向に沿って延出している折り曲げ側縁を定める一対の対向状主面を有し、かつ、切られた繊維端が実質的にないことを特徴とする管状基材、
（ｉｉ）　前記基材の中に含浸されあるいは上に被覆され、実質的に湿気のない状態に保たれたときには安定状態のままであり、かつ、充分な湿気にさらされたときには硬化して堅い自立構造体になる反応系、および、
（ｉｉｉ）　前記基材をその長手方向に沿って包んでおり、使用時にその基材と患者の皮膚との間に緩衝用隔壁をもたらす柔軟な保護用包装材
からなる医療材、および
（ｃ）　所定長さの医療材が使用のために小出しされた後に、製品容器の中に残っている基材の硬化を防止するために使われる、湿気の侵入に対して小出し用スリーブを再密封するための閉鎖手段
を備えてなる、
特定の医療用途に適した長さに小出しされる細長い医療包帯用製品。
【請求項２６】
前記小出し用スリーブと前記製品保管用パッケージとが、一体に形成されている請求項２５記載の医療包帯用製品。
【請求項２７】
内部に前記製品容器が収容された保護用カートンを含んでいる請求項２５記載の医療包帯用製品。
【請求項２８】
前記の細長い医療材が、前記保管用パッケージの内部でコイル状に巻かれており、その端部分が、所望長さの選択的小出しをするために前記製品小出し用スリーブの中に配されている請求項２５、２６または２７記載の医療包帯用製品。
【請求項２９】
（ａ）　不透湿性材料から形成されかつ湿気の侵入を防止するために密封可能である所定長さの細長いスリーブ、および
（ｂ）　使用されるまでそのスリーブの内部で実質的に湿気を含まない状態に密封される細長い医療材であって、
（ｉ）　その細長い医療材の長手方向に沿って延出している側縁を画定する一対の対向状主面を有している細長い基材、および
（ｉｉ）　前記基材の中に含浸されかつ／または上に被覆され、実質的に湿気のない状態に保たれたときには安定状態のままである湿分硬化可能な反応系
からなる医療材を備えてなり、
それによって、医療材とスリーブとを所望箇所で切り離すことで、医療材をスリーブから余分に取り出すことなく所望長さの前記医療材を一定長さの包帯用製品から取り出すことが可能であり、
前記スリーブは、所望長さの前記医療材が使用のために小出しされた後に前記スリーブの中に残っている前記基材の硬化を防止するために、湿気の侵入に対して密封可能であることを特徴とする、
特定の医療用途に適した長さに小出しされる細長い医療包帯用製品。
【請求項３０】
前記医療材が、前記の細長いスリーブと実質的に同じ所定長さを有し、かつ、そのスリーブの内部で同じ広がりのある連続層の中に配されている請求項２９記載の医療包帯用製品。
【請求項３１】
前記基材は、管状であり、かつ、その側縁が折り曲げられているとともに、切られた繊維端が実質的にないことを特徴とする請求項２９記載の医療包帯用製品。
【請求項３２】
前記医療材がさらに、前記基材をその長手方向に沿って包み、使用時に前記基材と患者の皮膚との間に緩衝用隔壁をもたらす柔軟な保護用包装材からなる請求項２９記載の医療包帯用製品。
【請求項３３】
前記管状基材が、編地からなる請求項２９記載の医療包帯用製品。
【請求項３４】
前記管状基材が、丸編機で編み上げられた継ぎ目なし編地からなる請求項２９記載の医療包帯用製品。
【請求項３５】
前記管状基材が、横編機で編み上げられた編地であってその編地の２つの側縁を互いにつないで管に形作る縫い目を有している編地からなる請求項２９記載の医療包帯用製品。
【請求項３６】
前記スリーブが、外側の引裂抵抗層、中心のアルミニウム箔層および内側のヒートシール可能プラスチック層を有しているアルミニウム箔積層品からなる請求項２９記載の医療包帯用製品。
【請求項３７】
前記管状基材が、ガラス繊維および熱可塑性合成繊維からなる群から選ばれた繊維で形成されている請求項３６記載の医療包帯用製品。
【請求項３８】
前記保護用包装材が、繊維状の不織性緩衝材からなる前記基材を包んでいる請求項３６記載の医療包帯用製品。
【請求項３９】
（ａ）　細長い医療材の長手方向に沿って延出している側縁を画定する一対の対向状主面を有している細長い基材、および
（ｂ）　前記基材の中に含浸されかつ／または上に被覆され、実質的に湿気のない状態に保たれたときには安定状態のままであり、その側縁が折り曲げられており、また、切られた繊維端が実質的にないことを特徴とする湿分硬化可能な反応系
を備えてなる細長い医療包帯。
【請求項４０】
前記医療材がさらに、前記基材をその長手方向に沿って包み、使用時に前記基材と患者の皮膚との間に緩衝用隔壁をもたらす柔軟な保護用包装材からなる請求項３９記載の医療包帯。
【請求項４１】
前記管状基材が、編地からなる請求項３９記載の医療包帯。
【請求項４２】
不透湿性材料から形成されかつ湿気の侵入を防止するために密封可能であり、小出し用スリーブに連通する製品保管用拡大パッケージをさらに備えるとともに、細長い医療材が、実質的に湿気を含まない状態で容器の中に配され、かつ、使用されるまでその中で湿気に対して密封されている、特定の医療用途に適した長さに小出しされる細長い医療包帯用製品。
【請求項４３】
前記小出し用スリーブと前記製品保管用パッケージとが、一体に形成されている請求項４２記載の医療包帯用製品。
【請求項４４】
内部に保管用パッケージおよび任意の小出し用スリーブが収容された保護用カートンを含んでいる請求項４２記載の医療包帯用製品。
【請求項４５】
前記の細長い医療材が、前記保管用パッケージの内部でコイル状に巻かれており、その端部分が、所望長さの選択的小出しをするために前記製品小出し用スリーブの中に配されている請求項４２、４３または４４記載の医療包帯用製品。
【発明の詳細な説明】
【０００１】
発明の技術分野および背景
この発明は、一般に整形医療の分野に関するものであり、さらに詳しくは、湿分硬化性合成樹脂材料から形成された改良型医療包帯と、このようなロール形包帯用製品が収納されかつ小出しされる容器との考案に関するものである。
【０００２】
身体の一部を固定する必要のある骨折のようなけがの治療に使われる医療包帯は一般に、身体の一部の周りに巻き付けられた後に剛性体に硬化する物質が含浸された生地あるいはスクリム材料の細片から形成されている。このような処置を行うのに昔から使われた硬化物質は焼石膏である。
【０００３】
従来の手法は、傷ついた体肢に綿布などからなる保護カバーをまず張り付けることでその体肢に合わせてギブスあるいは副子を作り、次いで、装着の直前に水に浸すことで濡らされた焼石膏含浸織布でそのカバーおよび体肢を包み込むようにしていた。このような手法は、まだ広く用いられているが、いくつかの重大な欠点がある。例えば、前記装着処置は手が汚れるものであるとともに多くの時間を必要とするものである。いくつかの構成部品が必要であり、また、かなりの熟練が必要である。
【０００４】
焼石膏のギブスおよび副子に関する従来の装着処置の前記欠点を少なくするために、単一の副子固定材が考案されており、その材料は、例えば米国特許第３，９００，０２４号、３，９２３，０４９号および４，２３５，２２８号公報に開示されている。これらの特許はすべて、複数の焼石膏含浸布層のあるパッド材について説明されている。このような単一材は、それほど手が汚れるものではなく、より速く装着することができるが、焼石膏ギブス材に特有ないくつかの欠点がまだある。焼石膏副子はすべて、強度対重量比が比較的小さく、でき上がった副子はきわめて重くまたかさばることになる。焼石膏副子は、硬化が遅く、最大強度に達するまでに約２４〜７２時間かかる。焼石膏副子は水で壊れるので、入浴やシャワーをすることが難しい。これらの原因による濡れを防止することができても、長時間にわたる発汗によって、焼石膏が壊れて、においとかゆみを伴う重大な問題が起きるおそれがある。
【０００５】
ギブス成型および副子固定の技術におけるかなりの進歩が米国特許第４，４１１，２６２号および４，５０２，４７９号公報に開示されている。これらの特許に開示されたギブス材には、湿気がなく不透湿性のパッケージに包まれた湿分硬化性樹脂で含浸されたしなやかな生地が備わっている。これらの製品は、焼石膏に比べて、きわめて軽量であり、強度対重量比がきわめて大きく、また、比較的多孔性に作ることができ、そのギブス材を介して空気を通すことができる。従来技術の湿分硬化システムには、湿分硬化性樹脂で含浸されたガラス繊維のような生地の複数層で構成されているパッケージが含まれている。その素材は、パッケージを再閉鎖する対策が何もされていないので、パッケージから取り出した後に全体をきわめてすばやく使わなければならない。なぜなら、このような湿分硬化性樹脂は、大気中の湿気に触れるだけで比較的短時間で硬化するからである。
【０００６】
この技術によって、軽量で装着しやすい副子の開発が可能になったが、このことは米国特許第４，７７０，２９９号、４，８６９，０４６号、４，８９９，７３８号、５，００３，９７０号および５，４１５，６２２号公報に例示されている。これらの副子は現在、医療副子に関する市場の優位を占めている。
【０００７】
前記の説明から、従来の焼石膏ギブス法およびつい最近の湿分硬化性樹脂ギブス法の双方には長所と短所の両方がある、ということがわかるであろう。一方では、焼石膏ギブスはかさ高くて、重く、また装着しにくいが、湿分硬化性樹脂ギブスは軽くて、丈夫であり、また、比較的装着しやすい。焼石膏は、それが完全に湿らない限り、保管寿命が比較的長いので、収納がきわめて容易であり、また、必要に応じて使うことができる。他方では、湿分硬化性樹脂は少量であっても湿気の存在にきわめて影響されやすいため、その素材を広範囲の相異なるさまざまな形状および大きさに包装するか、あるいは、使わなかった部分を捨てる必要があり、かなりの浪費量が生じるとともに、製品の実質的コストが増大することになる。この発明は、焼石膏システムおよび湿分硬化性樹脂システムの双方の長所を組み合わせるとともに、これらのそれぞれにおける短所を避けるものである。このことは、強度と利便性とが改善された単一副子固定システムを提供することによって達成される。単一システムは、所望長さの包帯用製品が使用のために取り出された後に湿気が侵入するのを防ぐ目的でそのパッケージを再密封する手段の備わった不透湿性パッケージとともに、湿分硬化性樹脂のギブス材を用いることで提供される。このようにすると、不透湿性パッケージの中に残る包帯用製品の硬化が防止され、それによって、このシステムの対費用効果が増大する。
【０００８】
しかしながら、前記の合成副子固定システムには、まだいくつかの短所がある。とりわけ、湿分硬化性樹脂が担持される基材として、織られたガラス繊維生地が普通使われている。この基材は、正確な長さおよび幅の帯片に切断された、例えば縦編生地のようないくつかの生地層から形成されている。ガラス繊維生地を正確な寸法に切断する方法によれば、副子固定材の側部および端部から外方へ突出する、切られた生地と糸が残される。これらの突出物は、パッド材の厚みを通して突出し、患者の皮膚に触れて、皮膚への突き刺さり、切り傷、刺激およびかゆみを引き起こす。同じような問題が、適切な長さおよび幅に切断しなければならない熱可塑性の織糸あるいは編糸から作られた基材に存在するおそれがある。
【０００９】
さらにまた、平らな生地を利用する副子製作法は、織地あるいは編地を適当な長さおよび幅に裁断して、通常は４〜８層の他の生地層を重ね合わせなければならないため、比較的、労働集約的なものである。この基材をきちんと形作るために、重ね合わされたそれらの層をその幅と厚さが一様になるように注意深く揃えなければならない。多数の重ね合わせ層が互いに縫い合わされる場合には、労力がいっそう必要になる。
【００１０】
つい最近、不織布が副子固定分野に導入された。不織布によると、織地あるいは編地に比べてなめらかな端部がもたらされる。しかしながら、不織布は、より厚いため、織地あるいは編地の基材のように心地よく手足に適合する製品特性が阻害される。より厚いということはまた、基材に樹脂を一様に含浸させあるいは被覆させることが困難になることを意味する。
【００１１】
発明の概要
従って、この発明の１つの目的は、湿気にさらされたときに素材を硬化させて堅い自立構造体にする湿分硬化性樹脂を有している、ロール形の医療包帯用製品を提供することである。
【００１２】
この発明の別の目的は、任意の所望長さに小出しすることができるとともに、残っている素材の硬化を使用が求められるまで防止することのできる医療包帯用製品を提供することである。
【００１３】
この発明の別の目的は、患者の皮膚に対するクッションをもたらすために、包装材を含んでいる単一の医療包帯用製品を提供することである。
【００１４】
この発明の１つの目的は、包帯構造体として、管状の編地あるいは織地の構造体を利用する包帯用製品を提供することである。
【００１５】
この発明の１つの目的は、保護容器から小出しされる包帯用製品を提供することである。
【００１６】
この発明の別の目的は、管の形成の後に付加的な製作工程を要することなく寸法が一様になる管状基材を有している包帯用製品を提供することである。
【００１７】
この発明の別の目的は、基材の両側部から延出している、切られた繊維あるいは糸のない基材を有する包帯用製品を提供することである。
【００１８】
この発明のこれらのそして他の目的および長所は、以下に開示された好適な実施態様において細長い医療包帯用製品を提供することで達成されているが、この細長い医療包帯用製品は、
（ａ）　不透湿性材料から形成されかつ湿気の侵入を防止するために密封可能である所定長さの細長いスリーブ、および
（ｂ）　使用されるまでそのスリーブの内部で実質的に湿気を含まない状態に密封される細長い医療材であって、
（ｉ）　その細長い医療材の長手方向に沿って延出している側縁を画定する一対の対向状主面を有している細長い基材、および
（ｉｉ）　前記基材の中に含浸されかつ／または上に被覆され、実質的に湿気のない状態に保たれたときには安定状態のままである湿分硬化可能な反応系
からなる医療材を備えてなり、
それによって、医療材とスリーブとを所望箇所で切り離すことで、医療材をスリーブから余分に取り出すことなく所望長さの前記医療材を一定長さの包帯用製品から取り出すことが可能であり、
前記スリーブは、所望長さの前記医療材が使用のために小出しされた後に前記スリーブの中に残っている前記基材の硬化を防止するために、湿気の侵入に対して密封可能であることを特徴とする、
特定の医療用途に適した長さに小出しされる細長い医療包帯用製品である。
【００１９】
１つの好適な実施態様では、その医療包帯用製品において、前記医療材は、前記の細長いスリーブと実質的に同じ所定長さを有し、かつ、そのスリーブの内部で同じ広がりのある連続層の中に配されている。
【００２０】
別の好適な実施態様では、その医療包帯用製品において、前記基材は、管状であり、かつ、その側縁が折り曲げられているとともに、切られた繊維端が実質的にないことを特徴とする。
【００２１】
別の好適な実施態様では、その医療包帯用製品において、前記医療材はさらに、前記基材をその長手方向に沿って包み、使用時に前記基材と患者の皮膚との間に緩衝用隔壁をもたらす柔軟な保護用包装材からなる。
【００２２】
以下に開示された好適な実施態様では、不透湿性材料から形成されかつ湿気の侵入を防止するために密封可能である所定長さの細長いスリーブと、前記の細長いスリーブと実質的に同じ所定長さを有するとともに、そのスリーブの内部で実質的に湿気を含まない状態で同じ広さに広がる連続層の状態に配され、かつ、使用されるまでその中で湿気に対して密封されている細長い医療材とを備えてなり、特定の医療用途に適した長さに小出しされる細長い医療包帯用製品が提供される。この医療材は、その細長いスリーブの長手方向に沿って延出している折り曲げ側縁を画定する一対の対向状主面を有し、かつ、切られた繊維端が実質的にないことを特徴とする管状基材と、この基材の中に含浸されあるいは上に被覆され、実質的に湿気のない状態に保たれたときには安定状態のままであり、かつ、充分な湿気にさらされたときには硬化して堅い自立構造体になる反応系と、その基材をその長手方向に沿って包んでおり、使用時にその基材と患者の皮膚との間に緩衝用隔壁をもたらす柔軟な保護用包装材とからなる。従って、医療材とスリーブとを所望箇所で切り離すことで、医療材をスリーブから余分に取り出すことなく所望長さの前記医療材を一定長さの包帯用製品から取り出すことが可能である。スリーブと医療材とは細長い包帯用製品の連続体を形成し、それによって、スリーブは、所望長さの医療材が使用のために小出しされた後にスリーブの中に残っている基材の硬化を防止するために、湿気の侵入に対して密封可能である。
【００２３】
この発明の好適な実施態様によれば、管状基材は編地からなる。
【００２４】
この発明の別の好適な実施態様によれば、管状基材は、丸編機で編み上げられた継ぎ目なし編地からなる。
【００２５】
この発明のさらに別の好適な実施態様によれば、管状基材は、横編機で編み上げられた編地であってその編地の２つの側縁を互いにつないで管に形作る縫い目を有している編地からなる。
【００２６】
この発明のさらに別の好適な実施態様によれば、スリーブは、外側の引裂抵抗層、中心のアルミニウム箔層および内側のヒートシール可能プラスチック層を有しているアルミニウム箔積層品からなる。
【００２７】
この発明のさらに別の好適な実施態様によれば、管状基材は、ガラス繊維および熱可塑性合成繊維からなる群から選ばれた繊維で形成されている。
【００２８】
この発明のさらに別の好適な実施態様によれば、保護用包装材は、繊維状の不織性緩衝材からなる基材を包んでいる。
【００２９】
この発明のさらに別の好適な実施態様によれば、保護用包装材は、不織性ポリプロピレン管からなる基材を包んでいる。
【００３０】
この発明のさらに別の好適な実施態様によれば、反応系は、ポリイソシアネート、ポリオール、触媒および安定剤の混合物からなる。
【００３１】
この発明のさらに別の好適な実施態様によれば、スリーブは、コイル体に形作られている。
【００３２】
この発明のさらに別の好適な実施態様によれば、内部に医療包帯用製品のコイル体が収容された小出し用カートンが提供される。
【００３３】
この発明のさらに別の好適な実施態様によれば、
（ａ）　細長い医療材の長手方向に沿って延出している側縁を画定する一対の対向状主面を有している細長い基材、および
（ｂ）　前記基材の中に含浸されかつ／または上に被覆され、実質的に湿気のない状態に保たれたときには安定状態のままであり、その側縁が折り曲げられており、また、切られた繊維端が実質的にないことを特徴とする湿分硬化可能な反応系
を備えてなる細長い医療包帯が提供される。
【００３４】
この発明の１つの好適な実施態様によれば、細長い医療材は、使用されるまで実質的に湿気を含まない状態に保たれるように適合されている。医療包帯は、その基材の長手方向に沿って延出している折り曲げ側縁を画定する一対の対向状主面を画定しており、かつ、切られた繊維端が実質的にないことを特徴とする管状基材を備えてなる。反応系が、その基材の中に含浸されあるいは上に被覆され、実質的に湿気のない状態に保たれたときには安定状態のままであり、かつ、充分な湿気にさらされたときには硬化して堅い自立構造体になる。柔軟な保護用包装材が、前記基材をその長手方向に沿って包んでおり、その包帯の使用時に基材と患者の皮膚との間に緩衝用隔壁をもたらす。
【００３５】
この発明のさらに別の好適な実施態様によれば、その基材を包んでいる柔軟な保護用包装材は、その包帯が使われるときにその基材と患者の皮膚との間に緩衝用隔壁をもたらし、その厚みを介して水分および空気が自由に透過し、かつ、湿分硬化性樹脂がその厚みを介して迅速かつ容易に水分にさらされる。
【００３６】
この発明のさらに別の好適な実施態様によれば、柔軟な保護用包装材は、その基材の封入された主面のいずれか一方を患者の皮膚に近接して設置することができるように、その基材を取り囲んでいる。
【００３７】
この発明のさらに別の好適な実施態様によれば、不透湿性材料から形成されかつ湿気の侵入を防止するために密封可能であり、小出し用スリーブに連通する製品保管用拡大パッケージをさらに備えるとともに、細長い医療材が、実質的に湿気を含まない状態で容器の中に配され、かつ、使用されるまでその中で湿気に対して密封されている、前記のように特定の医療用途に適した長さに小出しされる細長い医療包帯用製品が提供される。
【００３８】
好適な実施態様では、前記小出し用スリーブと前記製品保管用パッケージとが一体に形成されている。
【００３９】
別の好適な実施態様では、この製品はまた、内部に保管用パッケージおよび任意の小出し用スリーブが収容された保護用カートンを含んでいる。
【００４０】
この発明の好適な実施態様では、不透湿性材料から形成されかつ湿気の侵入を防止するために密封可能である外側容器であって、一方端部に防湿用密封可能な開口を有している細長い製品小出し用スリーブと、この小出し用スリーブに連通する製品保管用拡大パッケージとからなる外側容器および、この容器の中で実質的に湿気を含まない状態に配され、かつ、使用されるまでその中で湿気に対して密封されている細長い医療材を備えてなる、特定の医療用途に適した長さに小出しされる細長い医療包帯用製品が設けられている。この医療材は、その細長いスリーブの長手方向に沿って延出している折り曲げ側縁を画定する一対の対向状主面を有し、かつ、切られた繊維端が実質的にないことを特徴とする管状基材、この基材の中に含浸されあるいは上に被覆され、実質的に湿気のない状態に保たれたときには安定状態のままであり、かつ、充分な湿気にさらされたときには硬化して堅い自立構造体になる反応系、および、前記基材をその長手方向に沿って包んでおり、使用時にその基材と患者の皮膚との間に緩衝用隔壁をもたらす柔軟な保護用包装材からなる。所定長さの医療材が使用のために小出しされた後に、製品容器の中に残っている基材の硬化を防止するために使われる、湿気の侵入に対して小出し用スリーブを再密封するための閉鎖手段が設けられている。
【００４１】
この発明のさらに別の好適な実施態様によれば、小出し用スリーブと製品保管用パッケージとが一体に形成されている。
【００４２】
この発明のさらに別の好適な実施態様によれば、内部に前記製品容器の収容された保護用カートンが設けられている。
【００４３】
この発明のさらに別の好適な実施態様によれば、細長い医療材は、保管用パッケージの内部でコイル状に巻かれており、その端部分が、所望長さの選択的小出しをするために製品小出し用スリーブの中に配されている。
【００４４】
この発明のいくつかの目的は先に説明されている。この発明の他の目的および長所は、添付図面を考慮に入れてこの発明を説明するにつれて明らかになる。
【００４５】
好適な実施態様およびベストモードの説明
さて、具体的に図面を参照すると、この発明は、図１に表されており、参照符号１０で全体が示されている。
【００４６】
さて、具体的に図面を参照すると、この発明に係る医療包帯用製品は、図１において全体が１０で示されている。包帯用製品１０は、２４フィートのような使いやすい任意の長さで販売することができ、適当な小出し容器のカートン１１の中でコイル体に巻かれている。小出し容器のカートン１１には、一方の下隅部に、包帯用製品１０の延出する長穴１２が設けられている。
【００４７】
包帯用製品１０には、細長い外側スリーブ１３が一般に備わっており、このスリーブは、位置合わせされかつその対向側部に沿ってヒートシールされて管を形作る、貼り合わされた２枚の細長いシートのような不透湿性材料から形成されている。その外側層は引裂抵抗性フィルムから形成されている。中間層は、アルミニウム箔からなり、防湿層として作用する。内側層は、スリーブ１３の内側を湿気から確実にヒートシールするのに適した熱可塑性のあるプラスチックフィルムである。
【００４８】
スリーブ１３は、平行に延出している対向側部に沿ってヒートシールされているのが好ましい。以下に詳しく説明される細長い医療材１４は、スリーブ１３の内部に配されて、小出しされるまで実質的に湿気のない状態に維持されている。
【００４９】
図２に示されたように、スリーブ１３の端部は、鋏型留め具１５のような密封手段で密封されている。
【００５０】
湿気がスリーブ１３の中へ侵入するのを防止するために、例えば、充分な強度を有する、圧縮力の掛けられたばね、防湿テープあるいはねじ留め機構の備わった、柔軟な順応性ガスケット装置のような、他の種類の密封機構を使うこともできる。特に適した１つの装置（図示略）は、圧縮が起きるとわずかに後方へ転がって医療材１４をスリーブ１３の中へわずかに押し戻していっそう良好な密封をすることのできる一対のばね付きローラである。
【００５１】
使うことのできる別の密封手段（図示略）は、医療材１４をスリーブ１３の中へ充分な距離（およそ１インチ）だけ押し戻してスリーブ１３の開口端部をもう一度ヒートシールすることのできる装置である。
【００５２】
医療材１４の適切な長さは測定によって一番良好に決定されるので、図３に最も適切に示されたように、スリーブ１３の一方の端部に測定マーク「Ｍ」を印刷してもよい。適切な長さの医療材１４が小出しされてロールから切り取られると、それはスリーブ１３から取り出され、スリーブ１３は捨てられる。
【００５３】
さて、図４および図５を参照すると、医療材１４には管状の基材１６が備わっているが、この基材１６は、ガラス繊維のような適切な繊維から形成された編糸によって編機で管に形成されて一定長さの管状包装材１８で包囲されているのが好ましい。基材１６は、代わりに、一定長さの平らな織り上げ材あるいは編み上げ材を縫い合わせて管にし、その管を裏返して管の未処理端部を管の内側に位置させることで、形成することができる。しかしながら、これらの製作工程に含まれた労力のために、管を編み上げることが、基材を形成するための最も能率がよくかつ対費用効果の高い手段であると思われる。基材１６を編み上げることで、残りの主要構成工程は、編み上げられた管を、用意された医療材１４が包装されるスリーブ１３の長さにほぼ相当する長さに切断することである。
【００５４】
医療材１４は、必要な任意の幅、例えば１インチ〜８インチに形成することができる。１つの好適な実施態様には、４インチ幅のスリーブ１３の内部に配された３インチ幅の医療材１４が備わっている。一般に、スリーブ１３は３インチ〜１０インチの範囲で変わり、このような範囲では、１インチ〜８インチ幅の医療材を収容することができる。
【００５５】
基材１６の好適な１つの実施態様は、次の仕様に従って、丸編機で管として編み上げられたものである。
編目の横列　　１４〜１９
編目の縦列　　１１〜１９
糸仕様　　　　ＤＥ３７　１／０　テクスチャード加工のガラス繊維
【００５６】
特定の編機の選択は、医療材１４についての所定仕様に基づいて行なわれる。医療材１４の直径の変動は、糸の送給張力、巻き取り張力および、当業界でありふれた他の変数を調整することによって、特定直径の丸編機に関する範囲内で行なうことができる。
【００５７】
図６、図７および図８に示されたように、基材１６は、編み上げ管（図６）を平らにして、長手方向へ延びる２つの主側部１６Ａ，１６Ｂ（図７および図８）を形作ることで、形成される。平らにされた管には、基材１６における２つの対向状折り曲げ側部１６Ｃ，１６Ｄもまた形成される。剥き出し状かつ外方突出状である多数の糸端部および繊維端部を備えた未処理の切り口が含まれる従来技術の構成とは対照的に、これらの側部１６Ｃ，１６Ｄは、丸みがあり、なめらかで、一体的であり、また、切られていない。従って、湿分硬化性樹脂の硬化が終わったときに、鋭利な針状の突起部に硬化する剥き出しの切り口はまったく存在しない。加えて、この基材は、二重層の連続構造体として作用する管状の層によって補強されている。これらの層を揃えるために縫い合わせる必要はなく、また、製作業者は医療材１４の幅をいっそうよく調整している。
【００５８】
短尺の基材１６が図６、図７および図８に示されている。基材１６は、形成される医療材１４の長さと同じ広がりのあるいっそう長いものであるのが普通である。ある長さの医療材１４から切り取られると、基材１６の端部には切り口が形成されるが、これらの端部は、内側へ折り返しかつ／または２倍の厚さの管状包装材１８（図９を参照のこと）で覆うことができる。
【００５９】
管状包装材１８は、ポリプロピレンのような、柔軟な不織布用繊維、あるいは、この出願の譲受人であるスミス・アンド・ネフュー・インコーポレイテッド（Ｓｍｉｔｈ　＆　Ｎｅｐｈｅｗ，Ｉｎｃ．，）の成型部によって製作されたオルトグラス（ＯｒｔｈｏＧｌａｓｓ（登録商標））の商品名の合成副子固定材料として現在使われている他の適当な疎水性繊維から形成されている。この製品によれば、患者の皮膚と硬化した基材１６との間に緩衝用保護層がもたらされる。
【００６０】
基材１６は、実質的に湿気のない状態に保たれたときには安定状態のままであるが充分な湿気にさらされたときには硬化して堅い自立構造体になる反応系が含浸されあるいは被覆されている。この反応系の代表的な配合比は次の表に記載されている。
【００６１】
代表的な配合比
代表的な配合比
2004500907.tif 000003
【００６２】
この反応系におけるパラメータ、製作方法および施される変量は、米国特許第４，４１１，２６２号公報に見出される。
【００６３】
図１０に示されたように、湿分硬化は医療材１４を水の中に浸すことで促進される。そして、例えばタオルの中でくるくると巻くことによって、医療材１４から余分な水分が絞り取られる。
【００６４】
このようにする代わりに、基材１６における反応系と空気中の水分とが触れ合うようにさせて、いっそう長時間にわたって湿分硬化を起こすことができる。
【００６５】
さて、図１１を参照すると、適当な長さの医療材１４が、固定される身体の一部の形状に形作られている。短下肢後部副子として知られたこのような特定種類の副子は、一定長さの医療材１４をふくらはぎからかかとを覆いかつ足に当たるように密着させることで、形作られる。医療材１４はその後、図１２に示されたように、従来の弾性包帯で包み込まれる。
【００６６】
さて、図１３を参照すると、この発明の別の実施態様に係る医療包帯用製品が全体の参照符号３０で示されている。医療材１４は容器３１の内部に収容されており、この容器は、スリーブ１３と同じ材料および構造の防湿容器を形成するために、位置決めされかつ共通の継ぎ目に沿ってヒートシールされて貼り合わされた２枚のシートから形成されている。その外側層は引裂抵抗性フィルムから形成され、中間層は、アルミニウム箔から形成され、防湿層として作用する。内側層は、容器３１の内側を湿気の侵入から確実にヒートシールするのに適した熱可塑性のあるプラスチックフィルムである。
【００６７】
図１３にさらに示されているように、容器３１には細長い小出し用スリーブ３２が備わっており、このスリーブには、容器３１の中の医療材１４を小出しする開放可能端部３３がある。一巻きの医療材１４は、スリーブ３２と一体であってスリーブ３２に連通している製品保管用拡大パッケージの中に置かれている。
【００６８】
小出し用スリーブ３２の端部３３は、適当な型式の任意の留め具３６、例えば、前記のような留め具３６あるいは、サンドイッチ袋や他の食品の保存袋に代表的な型式である「ジップロック」型式の一体形成ジッパーで、密封することができる。
【００６９】
図１４に示されたように、小出し用スリーブ３２は、開口３３が密封されていないときに侵入する空気に医療材１４がさらされるのを制限するために、医療材１４のまわりにぴったりフィットしている。図１４にはさらに、容器３１に残っている医療材１４が空気にさらされるのを制限するために、医療材１４が比較的きつくコイル体に巻かれているのが示されている。開口３３がきちんと密封されていると容器３１は充分に気密であり、医療材１４は、容器３１の中における医療材１４の供給物を使い果たすのに必要な普通の時間であるいっそう長い間、その柔らかくて硬化していない状態が維持される。
【００７０】
所望長さの医療材１４は、留め具３６を取り外して医療材１４の露出端部をしっかりつかむことで小出しされる。適当な長さが容器３１から引き出され、医療材１４が保管用パッケージの中でほどかれる。ちょうどよい長さが開口３３から小出しされると、それは切断され、容器３１の中に残っている医療材１４の端部は小出し用スリーブ３２の中へ押し込まれる。開放端部３３は留め具ですばやく再密封される。
【００７１】
図１５に示されたように、医療包帯用製品３０は、小出し用カートン１１の内部に入れて、容器３１の小出し用スリーブ３２がカートン１１の底にある長穴から突出した状態に置くことができる。
【００７２】
医療包帯用製品は前記のように説明されている。この発明のさまざまな細部は発明の範囲から逸脱することなく変えることができる。さらにまた、この発明の好適な実施態様およびこの発明を実施するためのベストモードに関する前記説明は、例示するだけの目的でなされたものであって、限定する目的でなされたものではなく、この発明は特許請求の範囲で定義されている。
【図面の簡単な説明】
【図１】
図１は、医療包帯用製品が小出し容器から小出しされている状態を示す概略斜視図である。
【図２】
図２は、医療包帯用製品の未使用部分が湿気の侵入を防止するために再密封されている状態を示す、図１に類似した図である。
【図３】
図３は、医療材の定尺物の破断部がある斜視図である。
【図４】
図４は、図３の４−４線に実質的に沿った垂直断面図である。
【図５】
図５は、わかりやすくするために露出された基材が備わった一定長さの医療材の斜視図である。
【図６】
図６は、一定長さの管状編み上げ基材の斜視図である。
【図７】
図７は、医療包帯に組み込まれる際に平らな状態にある管状基材の側面図である。
【図８】
図８は、図７に示された基材の斜視図である。
【図９】
図９は、パッドの中に配されて医療包帯を形成する平らな管状基材を示す、破断部がある斜視図である。
【図１０】
図１０は、濡らすことで湿分硬化性樹脂の活性化を示している。
【図１１】
図１１は、スリーブから取り出された後に身体の一部の線に合わすために形が付けられている医療材を示している。
【図１２】
図１２は、硬化性医療材が被覆用封入によって身体の一部における定位置に固定されている状態の斜視図である。
【図１３】
図１３は、代わりの実施態様に係る医療材を収容ための小出し用容器の斜視図である。
【図１４】
図１４は、図１３に示された小出し用容器の一部断面垂直側面図である。
【図１５】
図１５は、ともに示された小出し用容器が中に配されているカートンの斜視図である。
【国際公開パンフレット】
2004500907.tif 000004
2004500907.tif 000005
2004500907.tif 000006
2004500907.tif 000007
2004500907.tif 000008
2004500907.tif 000009
2004500907.tif 000010
2004500907.tif 000011
2004500907.tif 000012
2004500907.tif 000013
2004500907.tif 000014
2004500907.tif 000015
2004500907.tif 000016
2004500907.tif 000017
2004500907.tif 000018
2004500907.tif 000019
2004500907.tif 000020
2004500907.tif 000021
2004500907.tif 000022
2004500907.tif 000023
2004500907.tif 000024
2004500907.tif 000025
2004500907.tif 000026
2004500907.tif 000027
2004500907.tif 000028
2004500907.tif 000029
2004500907.tif 000030
2004500907.tif 000031
2004500907.tif 000032
2004500907.tif 000033
2004500907.tif 000034
2004500907.tif 000035
2004500907.tif 000036
2004500907.tif 000037
2004500907.tif 000038
2004500907.tif 000039
2004500907.tif 000040
2004500907.tif 000041
2004500907.tif 000042
【国際調査報告】
2004500907.tif 000043